(57)【要約】【課題】本発明の課題は、吐出安定性ならびに記録媒体に対する浸透性および乾燥性に優れ、画像濃度および鮮明度が高く、ひげ状の色滲みがない、高画質品位の記録画像を形成することができるインクジェット用インク組成物、それを用いる記録方法および記録画像ならびにそれを用いるインクヘッドを提供することである。【解決手段】本発明のインク組成物は、少なくとも（ａ）電気伝導率が２５０μＳ／ｃｍ以下（２５℃）の水媒体、（ｂ）顔料および（ｃ）一般式【化７】2004175934.tif 000010〔式中、ｍおよびｎはそれぞれ１≦ｍ＋ｎ≦３０の関係を満たす０〜３０の整数を示す。ｘおよびｙはそれぞれ１≦ｘ＋ｙ≦１０の関係を満たす０〜１０の整数を示す。〕で表されるアルキレングリコール化合物を含むことを特徴とする。【選択図】      なし【特許請求の範囲】
【請求項１】
少なくとも（ａ）電気伝導率が２５０μＳ／ｃｍ（２５℃）以下の水媒体、（ｂ）顔料および（ｃ）一般式
【化１】
2004175934.tif 000009
〔式中、ｍおよびｎはそれぞれ１≦ｍ＋ｎ≦３０の関係を満たす０〜３０の整数を示す。ｘおよびｙはそれぞれ１≦ｘ＋ｙ≦１０の関係を満たす０〜１０の整数を示す。〕
で表されるアルキレングリコール化合物を含むことを特徴とするインク組成物。
【請求項２】
電気伝導率が１５ｍＳ／ｃｍ（２５℃）以下であることを特徴とする請求項１記載のインク組成物。
【請求項３】
さらに水溶性有機溶剤をインク組成物全量の１０〜７０重量％含むことを特徴とする請求項１または２記載のインク組成物。
【請求項４】
水溶性有機溶剤が、グリコールエーテル類および／または多価アルコール類であることを特徴とする請求項３記載のインク組成物。
【請求項５】
水溶性有機溶剤が、蒸気圧６．６６６５Ｐａ（２０℃）以下の水溶性有機溶剤から選ばれる１種または２種以上であることを特徴とする請求項４記載のインク組成物。
【請求項６】
水溶性有機溶剤が、水より大きい蒸気圧を有する水溶性有機溶剤から選ばれる１種または２種以上であることを特徴とする請求項３記載のインク組成物。
【請求項７】
アセチレングリコール化合物を臨界ミセル濃度以上含むことを特徴とする請求項１〜６のうちのいずれかに記載のインク組成物。
【請求項８】
顔料が少なくともピグメントブルー１５：３、ピグメントブルー１５：４およびピグメントブルー１５：６から選ばれる１種または２種以上のシアン顔料を含むことを特徴とする請求項１〜７のうちのいずれかに記載のインク組成物。
【請求項９】
顔料が少なくともピグメントレッド１２２、ピグメントレッド２０９およびピグメントヴァイオレット１９から選ばれる１種または２種以上のマゼンタ顔料を含むことを特徴とする請求項１〜７のうちのいずれかに記載のインク組成物。
【請求項１０】
顔料が少なくともピグメントイエロー７４、ピグメントイエロー１２８、ピグメントイエロー１３８、ピグメントイエロー１５０およびピグメントイエロー１８０から選ばれる１種または２種以上のイエロー顔料を含むことを特徴とする請求項１〜７のうちのいずれかに記載のインク組成物。
【請求項１１】
顔料が少なくともカーボンブラックであるブラック顔料を含むことを特徴とする請求項１〜７のうちのいずれかに記載のインク組成物。
【請求項１２】
請求項８記載のインク組成物、請求項９記載のインク組成物および請求項１０のインク組成物からなるインクセットであることを特徴とする請求項１〜７のうちのいずれかに記載のインク組成物。
【請求項１３】
顔料がその表面にカルボキシル基またはスルホン酸基を導入した自己分散型顔料であることを特徴とする請求項１〜１２のうちのいずれかに記載のインクセット。
【請求項１４】
インク組成物を記録媒体上に付着させることによって画像を記録する記録方法であって、
前記インク組成物には、請求項１〜１３のうちのいずれかに記載のインク組成物を用いることを特徴とするインクジェット記録方法。
【請求項１５】
インク組成物に圧力をかけることによって前記インク組成物の液滴を吐出させ、前記液滴を記録媒体上に付着させることによって画像を記録する記録方法であって、
前記インク組成物には、請求項１〜１３のうちのいずれかに記載のインク組成物を用いることを特徴とする記録方法。
【請求項１６】
前記インク組成物には、少なくとも、請求項１２記載のインク組成物を用いることを特徴とする請求項１４または１５記載の記録方法。
【請求項１７】
請求項１４〜１６のうちのいずれかに記載の記録方法によって記録されることを特徴とする記録画像。
【請求項１８】
請求項１〜１３のうちのいずれかに記載のインク組成物を貯留するインクタンクと、
前記インク組成物の液滴を吐出する吐出口を有し、前記インクタンクから前記インク組成物が供給されるインク室と、
印加される電圧に応答してひずみを生じる圧電素子であって、
前記インク室の少なくとも一部に設けられ、前記インク室に収容される前記インク組成物に対して圧力をかける圧電素子と、
前記圧電素子に電圧を印加するために設けられる電極とを含むことを特徴とするインクヘッド。
【請求項１９】
請求項１〜１３のうちのいずれかに記載のインク組成物を貯留するインクタンクと、
前記インク組成物の液滴を吐出する吐出口を有し、前記インクタンクから前記インク組成物が供給されるインク室と、
前記インク室の少なくとも一部に設けられ、前記インク室に収容される前記インク組成物を加熱して気泡を発生させることによって前記インク組成物に対して圧力をかける発熱体と、
前記発熱体に電圧を印加するために設けられる電極とを含むことを特徴とするインクヘッド。
【請求項２０】
請求項１８または１９記載のインクヘッドによって吐出されるインク組成物の液滴が、被記録材上に付着されることによって記録されることを特徴とする記録画像。
【発明の詳細な説明】
【０００１】
【発明の属する技術分野】
本発明は、インク組成物、これを用いる記録方法および記録画像ならびにこれを用いるインクヘッドに関する。
【０００２】
【従来の技術】
パーソナルコンピュータ、複写機、ファクシミリ装置などの出力機器に採用されているインクジェット方式はインクの微小液滴を、吐出ノズルから記録媒体上に吐出して、記録媒体に画像を記録する印刷方式であり、静粛性に優れる、高密度化が容易である、カラー化が容易である、高速印刷に耐えることができる、高品位の記録画像を安価に印刷できるといった数々の好ましい特徴を有し、非常に有用な印刷方式である。
【０００３】
インクジェット方式には、圧電素子を用いる記録方法、膜沸騰現象を用いて気泡を発生させインクを吐出させる記録方法などがよく知られている。
【０００４】
インクジェット方式において使用されるインク組成物には、吐出安定性ならびに記録媒体に対する浸透性および乾燥性に優れていることが要求される。吐出安定性に優れるインク組成物は、吐出ノズル内で乾燥して目詰まりを起こすことがなく、連続的にかつ安定的に吐出される。また、記録媒体に対する浸透性および乾燥性に優れるインク組成物は、記録媒体の内部または裏面まで浸透せず、表面から浅い部分に浸透するという適度な浸透性を示し、しかも記録媒体上で速やかに乾燥して定着するので、画像濃度および鮮明度が高く、ひげ状の色滲み（フェザリング）などがない高品位の記録画像が形成される。
【０００５】
インクジェット用インク組成物としては、一般に、色材である染料または顔料、有機溶剤、界面活性剤などを水に溶解または分散させてなるインク組成物が使用されている。これらの成分の中でも、界面活性剤は、インク組成物の吐出安定性、記録媒体に対する浸透性および乾燥性などに大きな影響を及ぼす重要な成分であることは周知の事実である。
【０００６】
従来から、インクジェット用インク組成物には、種々の界面活性剤が配合されている。たとえば、水溶性染料、ジエチレングリコールなどの有機溶剤および水を含む組成物に、界面活性剤として、前記組成物全量の０．０００１〜１０重量％のアセチレングリコール・エチレンオキシド付加物を配合することが提案されている（たとえば、特許文献１参照）。しかしながら、このインク組成物は、特に高速印刷時の吐出安定性、記録媒体に対する乾燥性、記録画像におけるフェザリングの有無、記録画像の鮮明度などの点で充分満足できる性能を有していない。
【０００７】
また、染料または顔料、グリセリン、チオジグリコール、尿素などの有機溶剤、非イオン界面活性剤であるアセチレングリコール・エチレンオキシド付加物および水を含有するインク組成物を、加熱している記録媒体に吐出するインクジェット記録方法が提案されている（たとえば、特許文献２参照）。しかしながら、インクジェット方式では、一日あたり数百枚、時には数千枚におよぶ印刷を行うこともあり、その場合には記録媒体を加熱するための消費電力が大きくなり過ぎるので、この記録方法は現実的ではない。さらに、高速印刷を行う場合には、熱の伝わり方にむらが生じて、記録画像の画質を高品位に保てなくなる。
【０００８】
一方、水溶性染料、エチレングリコールなどの多価アルコールおよび水中におけるミセル濃度での表面張力が２０〜５０ｄｙｎｅ／ｃｍを示す界面活性剤を含有し、残部が水であるインク組成物が提案されている（たとえば、特許文献３参照）。この従来技術によれば、特定の性質を有する界面活性剤を添加することによって、インク組成物の表面張力を下げ、記録媒体へのインク浸透性を高めている。しかしながら、このインク組成物は記録媒体へ浸透しすぎるので、フェザリングが生じたり、画像濃度および鮮明度が低下し、記録画像の画質品位が不充分になることを避けることができない。
【０００９】
以上に述べたように、インクジェット方式では、インク組成物の記録媒体上での浸透性と乾燥性、および記録画像の画質品位をいかに両立させるかが大きな課題になっている。
【００１０】
【特許文献１】
特開昭５６−５８７１号公報
【特許文献２】
特開平１１−１２９４６０号公報
【特許文献３】
特開昭５５−２９５４６号公報
【００１１】
【発明が解決しようとする課題】
本発明の目的は、泡立ちにくく、泡が発生しても泡抜けしやすく、吐出安定性に優れ、高速印刷を連続して安定的に行うことができ、また記録媒体に対する浸透性および乾燥性に優れ、画像濃度および鮮明度が高く、ひげ状の色滲みがない、高画質品位の記録画像を形成することができ、高速印刷を行っても記録画像の高画質品位が維持されるインクジェット用インク組成物、それを用いる記録方法および記録画像ならびにそれを用いるインクヘッドを提供することである。
【００１２】
【課題を解決するための手段】
本発明は、少なくとも（ａ）電気伝導率が２５０μＳ／ｃｍ以下（２５℃）の水媒体、（ｂ）顔料および（ｃ）一般式
【００１３】
【化２】
2004175934.tif 000002
【００１４】
〔式中、ｍおよびｎはそれぞれ１≦ｍ＋ｎ≦３０の関係を満たす０〜３０の整数を示す。ｘおよびｙはそれぞれ１≦ｘ＋ｙ≦１０の関係を満たす０〜１０の整数を示す。〕
で表されるアルキレングリコール化合物（以後「アルキレングリコール化合物（１）」と呼ぶ）を含むことを特徴とするインク組成物である。
【００１５】
本発明に従えば、特定の電気伝導率を有する水媒体および顔料を含むインクに、アルキレングリコール化合物（１）を配合することによって、インクの泡立ちなどを防止するとともに、吐出ノズル内でのインクの乾燥を防止し、吐出安定性に優れたインク組成物を得ることができる。また、アルキレングリコール化合物（１）の配合によって、記録媒体に対して適度な浸透性を有し、かつ記録媒体上で速やかに乾燥する、定着性に優れたインク組成物を得ることができる。
【００１６】
したがって、本発明のインク組成物を用いると、画像濃度および鮮明度が高く、ひげ状の色滲みなどが発生しない、高画質品位の記録画像を、連続して安定的に記録することができる。さらに高速印刷を行っても、記録画像の画質品位が低下することがない。
【００１７】
また本発明のインク組成物は、電気伝導率が１５ｍＳ／ｃｍ以下（２５℃）であることを特徴とする。
【００１８】
本発明に従えば、本発明インク組成物の電気伝導率を特定の範囲とすることによって、吐出安定性、記録媒体に対する浸透性および乾燥性、記録画像の画質品位などをさらに高めることができる。
【００１９】
また本発明のインク組成物は、さらに水溶性有機溶剤をインク組成物全量の１０〜７０重量％含むことを特徴とする。
【００２０】
本発明に従えば、特定の電気伝導率を有する水、顔料およびアルキレングリコール化合物（１）を含むインク組成物に、さらに特定量の水溶性有機溶剤を配合することによって、本発明のインク組成物の吐出ノズル内での泡立ちおよび乾燥をさらに防止でき、さらに安定した印刷を実施することができる。また、水溶性有機溶剤の配合によって、記録媒体に対する浸透性を容易に調整することができる。
【００２１】
また本発明のインク組成物は、水溶性有機溶剤が、グリコールエーテル類および／または多価アルコール類であることを特徴とする。
【００２２】
また本発明のインク組成物は、水溶性有機溶剤が、蒸気圧６．６６６５Ｐａ（０．０５ｍｍＨｇ）（２０℃）以下の水溶性有機溶剤から選ばれる１種または２種以上であることを特徴とする。
【００２３】
本発明に従えば、水溶性有機溶剤としてグリコールエーテル類および／または多価アルコール類、好ましくは前記グリコールエーテル類および多価アルコール類の中でも蒸気圧６．６６６５Ｐａ（２０℃）以下の水溶性有機溶剤を用いることによって、本発明のインク組成物の吐出ノズル内での乾燥を一層防止することができ、インク組成物の吐出安定性を一層向上させることができる。
【００２４】
また本発明のインク組成物は、水溶性有機溶剤が、水より大きい蒸気圧を有する水溶性有機溶剤から選ばれる１種または２種以上であることを特徴とする。
【００２５】
本発明に従えば、水よりも大きい蒸気圧を有する水溶性有機溶剤を配合することによって、記録媒体上での乾燥速度を速くすることができる。
【００２６】
また本発明のインク組成物は、アセチレングリコール化合物（１）を臨界ミセル濃度以上含むことを特徴とする。
【００２７】
本発明に従えば、アセチレングリコール化合物（１）を特定濃度以上含有することによって、インク組成物の、疎水性面に対する濡れ性を向上させることができる。すなわち、プリンタ部材、特にインクタンク、インクヘッド、吐出ノズルなどに対する濡れ性が良好になり、インク組成物の供給が円滑に行われる。
【００２８】
また本発明のインク組成物は、顔料が少なくともピグメントブルー１５：３、ピグメントブルー１５：４およびピグメントブルー１５：６から選ばれる１種または２種以上のシアン顔料を含むシアン系インク組成物であることを特徴とする。
【００２９】
また本発明のインク組成物は、顔料が少なくともピグメントレッド１２２、ピグメントレッド２０９およびピグメントヴァイオレット１９から選ばれる１種または２種以上のマゼンタ顔料を含むマゼンタ系インク組成物であることを特徴とする。
【００３０】
また本発明のインク組成物は、顔料が少なくともピグメントイエロー７４、ピグメントイエロー１２８、ピグメントイエロー１３８、ピグメントイエロー１５０およびピグメントイエロー１８０から選ばれる１種または２種以上のイエロー顔料を含むイエロー系インク組成物であることを特徴とする。
【００３１】
また本発明のインク組成物は、顔料が少なくともカーボンブラックであるブラック顔料を含むブラック系インク組成物であることを特徴とする。
【００３２】
また本発明のインク組成物は、前述のシアン系インク組成物、マゼンタ系インク組成物およびイエロー系インク組成物からなるインクセットであることを特徴とする。
【００３３】
本発明に従えば、特定のシアン顔料を含むシアン系インク組成物、特定のマゼンタ顔料を含むマゼンタ系インク組成物、特定のイエロー顔料を含むイエロー系インク組成物、特定のブラック顔料を含むブラック系インク組成物、および前記シアン系インク組成物とマゼンタ系インク組成物とイエロー系インク組成物とからなるインクセットが得られる。特に前記インクセットを用いれば、発色性に優れ、カラーバランスが極めて良好な記録画像を記録することができる。
【００３４】
また本発明のインク組成物は、顔料がその表面にカルボキシ基またはスルホン酸基を導入した自己分散型顔料であることを特徴とする。
【００３５】
本発明に従えば、顔料として、表面にカルボキシ基またはスルホン酸基を導入した自己分散型顔料を用いることによって、吐出安定性、記録媒体に対する浸透性および乾燥性が一層向上したインク組成物を得ることができる。
【００３６】
また本発明は、インク組成物を記録媒体上に付着させることによって画像を記録する記録方法であって、
前記インク組成物には、前述のインク組成物を用いることを特徴とするインクジェット記録方法である。
【００３７】
本発明に従えば、本発明インク組成物を記録媒体上に付着させて、記録媒体に画像を記録する方法が提供される。
【００３８】
また本発明は、インク組成物に圧力をかけることによって前記インク組成物の液滴を吐出させ、前記液滴を記録媒体上に付着させることによって画像を記録する記録方法であって、
前記インク組成物には、前述のインク組成物を用いることを特徴とする記録方法である。
【００３９】
本発明に従えば、本発明のインク組成物に加圧して液滴とし、この液滴を記録媒体上に付着させて、記録媒体に画像を記録する方法が提供される。
【００４０】
また本発明の記録方法は、前記インク組成物に、少なくとも、前述のインクセットを用いることを特徴とする。
【００４１】
本発明に従えば、本発明の記録方法において、インク組成物として、本発明のインクセットを用いることによって、さらに高い画質品位を有する記録画像を記録することができる。
【００４２】
また本発明は、本発明の記録方法によって記録されることを特徴とする記録画像である。
【００４３】
本発明に従えば、本発明の記録方法によって、画像濃度および鮮明度が高く、ひげ状の色滲みなどがない、高画質品位の記録画像を形成することができる。
【００４４】
また本発明は、前述のインク組成物を貯留するインクタンクと、
前記インク組成物の液滴を吐出する吐出口を有し、前記インクタンクから前記インク組成物が供給されるインク室と、
印加される電圧に応答してひずみを生じる圧電素子であって、
前記インク室の少なくとも一部に設けられ、前記インク室に収容される前記インク組成物に対して圧力をかける圧電素子と、
前記圧電素子に電圧を印加するために設けられる電極とを含むことを特徴とするインクヘッドである。
【００４５】
また本発明は、前述のインク組成物を貯留するインクタンクと、
前記インク組成物の液滴を吐出する吐出口を有し、前記インクタンクから前記インク組成物が供給されるインク室と、
前記インク室の少なくとも一部に設けられ、前記インク室に収容される前記インク組成物を加熱して気泡を発生させることによって前記インク組成物に対して圧力をかける発熱体と、
前記発熱体に電圧を印加するために設けられる電極とを有することを特徴とするインクヘッドである。
【００４６】
本発明に従えば、ピエゾ式またはバブル式のインクジェット記録用インクヘッドに、本発明のインク組成物を組合わせて用いることによって、連続してかつ安定的な吐出をおこなうことができ、この吐出性能は高速印刷を行っても、劣化することがない。
【００４７】
また本発明は、本発明のインクヘッドによって吐出される前述のインク組成物の液滴が、記録媒体上に付着されることによって記録されることを特徴とする記録画像である。
【００４８】
本発明に従えば、本発明のインクヘッドから本発明のインク組成物の液滴を吐出し、この液滴を記録媒体上に付着させることによって得られる記録画像は、画像濃度および鮮明度が高く、ひげ状の色滲みなどがなく、極めて良好な画質品位を有している。
【００４９】
【発明の実施の形態】
本発明のインク組成物は、（ａ）電気伝導率が２５０μＳ／ｃｍ以下（２５℃）の水媒体、（ｂ）顔料および（ｃ）アセチレングリコール化合物（１）を必須成分として含んでいる。
【００５０】
すなわち、本発明のインク組成物は、顔料およびアセチレングリコール化合物（１）を必須成分とし、残部が電気伝導率２５０μＳ／ｃｍ以下（２５℃）の水媒体である水性組成物である。
【００５１】
本発明のインク組成物は、好ましくは、電気伝導率が１５ｍＳ／ｃｍ（２５℃）以下である。電気伝導率を１５ｍＳ／ｃｍ以下にすると、インク組成物の吐出安定性、記録媒体に対する浸透性および乾燥性、記録画像の画質品位などをさらに高めることができる。電気伝導率を１５ｍＳ／ｃｍ以下にするには、本発明のインク組成物の必須成分および添加可能成分以外のイオン性物質をできるだけ排除すればよい。たとえば、電気伝導率２５０μＳ／ｃｍ以下の水媒体を使用することによって、インク組成物の電気伝導率を１５ｍＳ／ｃｍ以下にすることができる。
【００５２】
なお、本明細書において、電気伝導率は、東亜電波工業（株）製の装置（商品名：ＣＭ−４０Ｇ）を用い、上記所定の温度で測定した。
【００５３】
また本発明のインク組成物は、２５℃における粘度が好ましくは２０ｍＰａ・ｓ以下、より好ましくは１５ｍＰａ・ｓ以下である。粘度を２０ｍＰａ・ｓ以下にすることによって、インク組成物を一層適正に吐出することが可能となる。また、表面張力が好ましくは２０〜６０ｍＮ／ｍ、より好ましくは２０〜５０ｍＮ／ｍである。表面張力を２０〜６０ｍＮ／ｍの範囲にすることによって、インクの供給系内にインク組成物が一層スムーズに供給される。
【００５４】
粘度または表面張力を前述の範囲に調整するには、たとえば、アルキレングリコール化合物（１）の含有量を調整したり、必要に応じて、アルキレングリコール化合物（１）ならびに後述するエチレンオキシド含有化合物および水溶性有機溶剤のそれぞれの含有量を所定の範囲内で適宜選択すればよい。
【００５５】
本発明のインク組成物において、（ａ）成分である水媒体は、純水（不純物を含まない水）または不純物を含む水である。不純物とは、通常水に含まれる微量成分であり、たとえば、無機塩その他のミネラル分などを挙げることができる。
【００５６】
本発明においては、電気伝導率は、水の純度を示す指標、換言すれば、水に含まれる不純物の量を示す指標として用いられる。
【００５７】
本発明において使用される水媒体の電気伝導率（２５℃）は２５０μＳ／ｃｍ以下、好ましくは１μＳ／ｃｍ以下である。電気伝導率が２５０μＳ／ｃｍを超えると、水媒体中の不純物量が多くなりすぎ、この不純物がインク組成物中の各成分と相互に作用し、インク組成物の保存性が悪くなるので、吐出安定性ならびに記録媒体に対する浸透性および乾燥性に優れたインク組成物を得ることができない。これは、水媒体中に、電気伝導率が２５０μＳ／ｃｍを超えるような量の不純物が存在すると、不純物がアセチレングリコール化合物（１）の周囲を取り囲み、アセチレングリコール化合物（１）が所望の効果を充分に発揮できないことによるものと考えられる。
【００５８】
（ｂ）成分である顔料としては、公知のものをいずれも使用できるけれども、人体に対する安全性に優れるものが好ましい。その具体例をカラーインデックスナンバー（ＣＩ）で示すと、青系顔料としては、たとえば、ピグメントブルー１、２、１５、１５：１、１５：２、１５：３、１５：４、１５：６、１６、１７、２２、２１、２２、６０、６４などを挙げることができる。これらの中でも、ピグメントブルー１５：３、１５：４、１５：６などが好ましい。赤系顔料としては、たとえば、ピグメントレッド１、２、３、５、１０、１６、２３、３０、３１、４８：１、４８：２、４９：１、５２、５３：１、５７：１、５８：４、６３、１２２、２０９、ピグメントヴァイオレッド１９などを挙げることができる。これらの中でも、ピグメントレッド１２２、２０９、ピグメントヴァイオレッド１９などが好ましい。黄色系顔料としては、たとえば、ピグメントイエロー３、１２、１３、１４、１５、２３、５５、７４、８３、９３、９５、９７、１２８、１３８、１５０、１５４、１６７、１８０、１９３などを挙げることができる。これらの中でも、ピグメントイエロー７４、１２８、１３８、１５０、１８０などが好ましい。顔料は１種を単独で使用できまたは同色系もしくは異色系のものを２種以上併用できる。
【００５９】
本発明においては、顔料の表面にカルボキシル基またはスルホン酸基を導入してなる自己分散型顔料を用いるのが好ましい。自己分散型顔料は、水中での分散性を有しているので、その使用によって、インク組成物の吐出安定性、記録媒体に対する浸透性および乾燥性などをさらに向上させることができる。顔料表面にカルボキシル基またはスルホン酸基を導入するには公知の方法を採用することができ、たとえば、酸、カップリング剤処理、ポリマーグラフト処理、プラズマ処理、酸化／還元処理、カプセル化処理などを挙げることができる。
【００６０】
顔料の含有量は制限されるものではないけれども、本発明のインク組成物全量の０．１〜１０重量％、好ましくは０．１〜８重量％の範囲から選択される。０．１重量％未満では、画像濃度が著しく低くなるので、色を表現することが困難である。一方１０重量％を超えると、粘度上昇が起こり、インクとしての適正粘度範囲を有するインク組成物を得ることができない。
【００６１】
（ｃ）成分であるアセチレングリコール化合物（１）は、アセチレングリコールにエチレンオキシドおよびプロピレンオキシドが付加した公知の有機化合物である。アセチレングリコール化合物（１）を添加することによって、吐出ノズルなどのプリンタ部材に対する濡れ性が向上し、インクを安定的に供給することが可能となり、高速印刷の際にもインクの供給がスムーズに行われる。また、インク内に泡が発生しにくく、発生しても比較的泡が抜けやすい。さらに、インクの浸透性を向上させるので、記録媒体、特に普通紙に印刷すると、浸透速度が早められる。
【００６２】
アセチレングリコール化合物（１）におけるエチレンオキシドの付加割合は、アセチレングリコール１モルに対して１〜３０モルである。エチレンオキシド付加割合が１モル未満では、水溶性が低下する。一方３０モルを超えて付加してもその性質は変化しないので、付加する技術的な意義がない。プロピレンオキシドの付加割合は、アセチレングリコール１モルに対して１〜１０モルである。プロピレンオキシドの付加割合が１モル未満では、プロピレンオキシドを付加させる効果（たとえば、低発泡性など）が発現しにくくなる。一方１０モルを超えると、親水性が低下し、水に溶解しにくくなる。
【００６３】
アセチレングリコール化合物（１）の含有量は特に制限されるわけではないけれども、アセチレングリコール化合物（１）の水に対する臨界ミセル濃度（０．０５重量％、２５℃）以上、好ましくは０．０５〜５重量％の範囲から選択される。アセチレングリコール化合物（１）の含有量が水に対する臨界ミセル濃度を下回ると、アセチレングリコール化合物（１）の効果が充分に発現しない。
【００６４】
したがって、水媒体の使用量に応じて、アセチレングリコール化合物（１）が臨界ミセル濃度以上に含有されるように、その使用量を決定すればよい。
【００６５】
本発明のインク組成物は、エチレンオキシドを含有する化合物を含んでいてもよい。エチレンオキシド含有化合物としては、たとえば、一般式
【００６６】
【化３】
2004175934.tif 000003
【００６７】
〔式中、ｅおよびｆはそれぞれ、０≦ｅ＋ｆ≦３０の関係を満たす０〜３０の整数を示す。〕
で表されるアセチレングリコール・エチレンオキシド付加物、一般式
【００６８】
【化４】
2004175934.tif 000004
【００６９】
〔式中、ｋは１１〜１３の整数を示す。ｌは３〜３０の整数を示す。〕
で表される化合物、一般式
【００７０】
【化５】
2004175934.tif 000005
【００７１】
〔式中、ｈおよびｉはそれぞれ０〜１１の整数を示す。ｊは３〜５０の整数を示す。〕
で表される化合物、一般式
【００７２】
【化６】
2004175934.tif 000006
【００７３】
〔式中、ａは５〜９の整数を示す。ｂは２．５〜５の正数を示す。ｚおよびｗはそれぞれ、９≦ｚ＋ｗ≦１１の関係を満たす０〜１１の整数を示す。〕
で表される化合物、一般式
【００７４】
ＨＯ（ＣＨ２ＣＨ２Ｏ）ｐ（ＣＨ２ＣＨ２ＣＨ２Ｏ）ｑ（ＣＨ２ＣＨ２Ｏ）ｒＨ                        （６）
〔式中、ｐは０〜７８の整数を示す。ｑは２〜１５の整数を示す。ｒは０〜１８の整数を示す。〕
で表される化合物などを挙げることができる。エチレンオキシド含有化合物は１種を単独で使用できまたは２種以上を併用できる。
【００７５】
エチレンオキシド含有化合物の含有量は特に制限されることはないけれども、通常本発明インク組成物全量の０．００１〜５重量％、好ましくは０．００１〜３重量％の範囲から選択される。
【００７６】
本発明のインク組成物は、その吐出安定性、記録媒体への浸透性などを向上させるために、水溶性有機溶剤を含んでいてもよい。水溶性有機溶剤としては特に制限されないけれども、たとえば、ジメチルホルムアミドおよびジメチルアセトアミドなどのアミド類、ポリエチレングリコール、ポリプロピレングリコール、エチレングリコール、ジエチレングリコール、チオジグリコール、プロピレングリコール、トリエチレングリコール、１，５−ペンタンジオール、１，４−ブタンジオール、１，２−ヘキサンジオール、１，３−プロパンジオールなどのグリコール類、グリセリン、１，２，６−ヘキサントリオールなどの３価以上の多価アルコール類、エチレングリコールモノメチルエーテル、エチレングリコールモノブチルエーテル、ジエチレングリコールモノメチルエーテル、ジエチレングリコールモノエチルエーテル、トリエチレングリコールモノブチルエーテル、プロピレングリコールモノエチルエーテル、テトラエチレングリコールモノメチルエーテルおよびエチレングリコールモノフェニルエーテルなどの多価アルコールエーテル類、スルホラン、ジメチルスルホキシドなどの硫黄含有化合物、２−ピロリドン、Ｎ−メチルピロリドン、ε−カプロラクタムなどの窒素含有ヘテロ環化合物、γ−ブチロラクトンなどの酸素含有ヘテロ環化合物、ジメチルアミノエタノール、ジエチルアミノエタノール、トリエタノールアミン、モルホリンなどの多官能化合物などを挙げることができる。
【００７７】
これらの水溶性有機溶剤の中でも、吐出安定性、記録媒体への浸透性などを向上させる度合いを考慮すると、グリコールエーテル類、多価アルコール類などが好ましく、さらにその中でも、２０℃における蒸気圧が６．６６６５Ｐａ（０．０５ｍｍＨｇ）以下であるもの、たとえば、グリセリン、１，２−ヘキサンジオール、１，５−ペンタンジオールなどの多価アルコール類がより好ましい。
【００７８】
また、前記に例示の水溶性有機溶剤のほかに、蒸気圧が水の蒸気圧より大きい水溶性有機溶剤を用いることもできる。このような水溶性有機溶剤の配合によって、吐出ノズル内での本発明インク組成物の乾燥が防止され、吐出ノズルの目詰まりがさらに起こり難くなる。蒸気圧が水よりも大きい水溶性有機溶剤としては、たとえば、イソプロパノール、エタノールなどを挙げることができる。
【００７９】
水溶性有機溶剤は、１種を単独で使用できまたは２種以上を併用できる。
水溶性有機溶剤の含有量は、特に制限されることはないけれども、色滲みの発生を一層防止したり、記録媒体に対する乾燥性をさらに向上させるということを考慮すると、通常本発明のインク組成物全量の１０〜７０重量％、好ましくは１０〜５０重量％の範囲から選択される。ただし、水溶性有機溶剤よりも水媒体を多く含む本発明のインク組成物を得ようとする場合は、水溶性有機溶剤の含有量は、色滲みの発生防止、記録媒体に対する乾燥性などを考慮すると、本発明のインク組成物全量の１０〜４０重量％、好ましくは１０〜３０重量％の範囲から選択される。
【００８０】
本発明のインク組成物は、その好ましい特性を損なわない範囲で、記録媒体への定着性を向上させるために、定着剤を含んでいてもよい。定着剤としては公知のものを使用でき、たとえば、アラビアゴムなどの天然ゴム類、サボニンなどのグルコシド類、リグニンスルホン酸塩、セラックなどの天然高分子化合物、アクリル酸樹脂およびその塩、メタクリル酸樹脂およびその塩、スチレン−アクリル酸共重合体およびその塩、ビニルナフタレン−アクリル酸共重合体およびその塩、スチレン−マレイン酸−アクリル酸アルキルエステル共重合体およびその塩、ビニルナフタレン−マレイン酸共重合体およびその塩、スチレン−メタクリル酸−アクリル酸アルキルエステル共重合体およびその塩、β−ナフタレンスルホン酸ホルマリン縮合物のナトリウム塩およびリン酸塩などの陰イオン性高分子化合物、ポリエステル樹脂、ポリビニルアルコール、ポリビニルピロリドン等の非イオン性高分子化合物、アクリロニトリル、酢酸ビニル、アクリルアミド、塩化ビニル、塩化ビニリデン、エチレン、ヒドロキシエチルアクリレート、グリシジルメタクリレートなどのモノマーからなる共重合体などを挙げることができる。これらの樹脂は、１種を単独で使用できまたは２種以上を併用できる。
【００８１】
本発明のインク組成物は、その好ましい特性を損なわない範囲で、防カビ剤、ｐＨ調整剤、キレート化剤、防錆剤、紫外線吸収剤などの、インクジェット用インク組成物の一般的な添加剤を含んでいてもよい。防カビ剤としては、たとえば、デヒドロ酢酸ナトリウム、安息香酸ナトリウム、ソルビタン酸ナトリウム、２−ピリジンチオール−１−オキシドナトリウム、ペンタクロロフェノールナトリウムなどが挙げられる。ｐＨ調整剤としては、たとえば、ジエタノールアミン、トリエタノールアミンなどのアミン、水酸化リチウム、水酸化カリウム、水酸化ナトリウムなどのアルカリ金属水酸化物、水酸化アンモニウム、第４級アンモニウム水酸化物、第４級ホスホニウム水酸化物、炭酸リチウム、炭酸ナトリウム、炭酸カリウムなどのアルカリ金属炭酸塩、硝酸ナトリウム、硝酸カリウムなどのアルカリ金属硝酸塩などが挙げられる。キレート試薬としては、たとえば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウムなどが挙げられる。防錆剤としては、たとえば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。紫外線吸収剤としては、たとえば、ベンゾトリアゾール化合物、ベンゾフェノン化合物、シアノアクリレート化合物などが挙げられる。添加剤は１種を単独で使用できまたは２種以上を併用できる。
【００８２】
さらに本発明のインク組成物は、必要に応じて、溶解助剤、酸化防止剤、消泡剤、粘度調整剤、目詰まり防止剤などを含んでいてもよい。
【００８３】
本発明のインク組成物は、たとえば、顔料およびアルキレングリコール化合物（１）の適量、ならびに必要に応じてエチレンオキシド含有化合物、水溶性有機溶剤、その他の添加剤などの適量を用い、これに特定の電気伝導率を有する水媒体を加えて全量を１００重量％に調整し、各成分を水媒体に分散または溶解させることによって製造できる。
【００８４】
分散は、通常の分散機を用いて行われる。該分散機には、たとえば、ディスパ、サンドミル、ホモジナイザ、ボールミル、ビーズミル、ペイントシェーカ、超音波分散機などを挙げることができる。混合は、攪拌用の羽根を備えている攪拌機、高速の分散機、乳化機などによって行われる。
【００８５】
本発明においては、各成分を水媒体に混合または分散させた後に、濾過を行ってもよい。濾過は、たとえば、孔径０．８μｍ以下のフィルター、孔径０．４５μｍ以下のフィルターなどを用い、常圧下または減圧下に行われる。
【００８６】
このようにして得られる本発明インク組成物の好ましい形態としては、
（ａ）顔料が、ピグメントブルー１５：３、ピグメントブルー１５：４およびピグメントブルー１５：６から選ばれる１種または２種以上のシアン顔料を含むインク組成物、
（ｂ）顔料が、ピグメントレッド１２２、ピグメントレッド２０９およびピグメントヴァイオレット１９から選ばれる１種または２種以上のマゼンタ顔料を含むインク組成物、
（ｃ）顔料が、ピグメントイエロー７４、ピグメントイエロー１２８、ピグメントイエロー１３８、ピグメントイエロー１５０およびピグメントイエロー１８０から選ばれる１種または２種以上のイエロー顔料を含むインク組成物、
（ｄ）顔料が、カーボンブラックであるブラック顔料を含むインク組成物、
（ｅ）前記（ａ）、（ｂ）および（ｃ）のインク組成物からなるインクセット、
などを挙げることができる。これらの中でも、色のバランスなどから、（ｅ）のインクセットが特に好ましい。
【００８７】
本発明のインク組成物は、インクジェット記録方式用の水性インクとして好適に用いられる。また本発明のインク組成物は、インクジェット記録方式用の水性インクとして用いられるだけでなく、水性インクが用いられる実質的に全ての用途に用いることができる。該用途の具体例としては、たとえば、グラビアインクなどの印刷インク、水性塗料、化粧品、筆記具用インク、トナー、液体現像剤、電子写真用材料などを挙げることができる。
【００８８】
本発明のインクジェット記録方法は、本発明のインク組成物を、インクジェット記録装置によって、記録媒体上に吐出することによって、行われる。
【００８９】
本発明のインクジェット記録方法は、本発明のインク組成物を使用する以外は、従来のインクジェット記録方法と同様に実施できる。
【００９０】
インクジェット記録装置としては、従来から知られているものを用いることができ、たとえば、圧電素子を用いるインクジェット記録装置、インクに圧力をかけてインクの液滴を吐出するインクジェット記録装置、膜沸騰現象を利用して気泡を発生させ、インクを吐出するインクジェット記録装置などを挙げることができる。
【００９１】
記録媒体としては、従来から使用されているものを用いることができ、たとえば、普通紙、葉書、カラーコピー用紙、インクジェット用紙、プラスチックシート、プラスチックフィルムなどを挙げることができる。
【００９２】
本発明のインクジェット記録方法によって、記録媒体上に形成される画像は、ひげ状の色滲みなどがなく、画像濃度および鮮明度が高く、極めて良好な画質品位を有している。
【００９３】
次に、本発明のインクヘッドについて説明する。図１は、本発明インクヘッド１の構成を簡略化して示す分解斜視図であり、図２は、図１に示すインクヘッド１を構成するヘッドプレート１０の構成の一部を拡大して示す図である。なお、図１では、図２に示す駆動電極１３は、図が錯綜して理解が困難になるので記載を省略する。
【００９４】
インクヘッド１は、圧電材料からなる平板状の底壁部１１および底壁部１１から予め定める間隔をあけて垂直に立ち上がるように形成される複数の隔壁部１２とを有するヘッドプレート１０と、隔壁部１２の上面に接して設けられる天板２０と、複数の吐出口３１を備え底壁部１１の一方の端部１１ａに設けられるノズルプレート３０と、底壁部１１の他方の端部１１ｂに設けられる図示しない背面板と、天板２０の上面に接して設けられる開口部５１を有するインクタンク５０とを含んで構成される。複数の隔壁部１２は、底壁部１１上で一端部から他端部に向かって垂直に延びて互いに平行に配置されており、複数の隔壁部１２と底壁部１１と天板２０とノズルプレート３０と図示しない背面板とによって複数のインク室４０が形成されている。天板２０には、各インク室４０に連通するインク供給路２１と、インク供給路２１とインクタンク５０の開口部５１とを連結するインク供給管２２とが形成される。インクタンク５０には実施の第１形態のインク組成物６０が貯留されており、このインク組成物６０はインク供給路２１内を流過して各インク室４０に供給される。
【００９５】
また図２に示すように、ヘッドプレート１０の底壁部１１および複数の隔壁部１２のインク室４０に臨む表面には、複数の隔壁部１２に電圧を印加する駆動電極１３が設けられる。また複数の隔壁部１２をなす圧電材料は、矢符７０の方向に分極しており、複数の隔壁部１２は圧電素子として機能する。
【００９６】
このように構成されるインクヘッド１は、圧電素子である複数の隔壁部１２に印加される電圧に応じて、吐出口３１からインク組成物６０の液滴を吐出させることのできるピエゾ方式のインクヘッドである。
【００９７】
インクヘッド１において、インク室４０からインク組成物６０を吐出させる際の動作について説明する。図３は、図１に示すインクヘッド１をインク室４０の延長方向から見た断面図である。ここでは、インク室４０ｂからインク組成物６０を吐出させる場合の動作について説明する。
【００９８】
インク室４０ｂを構成する隔壁部１２ａおよび１２ｂに電圧が印加されていないとき、すなわちインク室４０ｂの駆動電極１３ｂとインク室４０ｂに隣接するインク室４０ａの駆動電極１３ａとの間、およびインク室４０ｂの駆動電極１３ｂとインク室４０ｂに隣接するインク室４０ｃの駆動電極１３ｃとの間に電位差が生じていないとき、インク室４０ｂは、毛管作用によってインクタンク５０から供給されるインク組成物６０で充填された状態になっている。同様に、インク室４０ａおよび４０ｃもインク組成物６０で充填された状態になっている。
【００９９】
駆動電極１３ａおよび駆動電極１３ｃに電圧が印加されると、駆動電極１３ｂと駆動電極１３ａとの間、および駆動電極１３ｂと駆動電極１３ｃとの間に電位差が生じ、インク室４０ｂを構成する隔壁部１２ａおよび１２ｂに電圧が印加される。この電圧によって、隔壁部１２ａおよび１２ｂにそれぞれ矢符７１および７２の方向の電界が発生し、この電界の作用によって、インク室４０ｂを構成する隔壁部１２ａおよび１２ｂにひずみが生じ、インク室４０ｂ側に凸になるように変形する。これによって、圧力波が発生し、インク室４０ｂ内に充填されているインク組成物６０に大きな圧力がかかり、インク組成物６０の液滴が吐出口３１から吐出する。
【０１００】
駆動電極１３ａおよび駆動電極１３ｃへの電圧の印加を止めると、隔壁部１２ａおよび１２ｂの形状が元に戻ってインク室４０ｂの体積が元に戻り、復元された体積分のインク組成物６０がインク供給路２１を介してインクタンク５０から供給され、インク室４０ｂは、インク組成物６０が充填された初期の状態に戻る。
【０１０１】
本実施の形態によるインクヘッド１では、前述のようにインクタンク５０は本発明のインク組成物６０を貯留し、このインク組成物６０がインク室４０に供給されて吐出口３１から液滴として吐出するので、安定して吐出口３１からインク組成物６０の液滴を吐出させることができる。このようなインクヘッドを用いれば、信頼性の高いピエゾ方式のインクジェット記録装置を実現することができる。
【０１０２】
本実施の形態によるインクヘッド１を備えるピエゾ方式のインクジェット記録装置において、本発明のインク組成物を用いて記録を行うと、インクヘッド内のインク供給系への濡れ性が向上し、インクの供給がスムーズに行われるため、信頼性の高いピエゾ方式のインクジェット記録装置が実現できる。
【０１０３】
本実施の形態では、インク室４０を構成する隔壁部１２を圧電材料で形成し、圧電素子として機能させるけれども、これに限定されることなく、インク室を構成する隔壁を圧電材料以外の材料で形成し、隔壁の内方または外方に圧電素子を設けてもよい。
【０１０４】
図４は、本発明の第３の実施形態であるインクヘッド２の構成を簡略化して示す分解斜視図であり、図５は、図４に示すインクヘッド２の構成の一部を示す平面図である。なお、図５では、図４に示す天板２０およびインクタンク５０は、図が錯綜して理解が困難になるので、記載を省略する。本実施の形態のインクヘッド２は、実施の第２形態のインクヘッド１と類似し、対応する部分については同一の参照符号を付して説明を省略する。
【０１０５】
注目すべきは、ヘッドプレート１００が、基板１０１と、基板１０１上で予め定める間隔をあけ、一端部から他端部へ向かって垂直に延びて互いに平行に配置される複数の隔壁１０２と、基板１０１のインク室４０に臨む表面上に設けられる発熱体であるヒータ１０３と、ヒータ１０３に電圧を印加する駆動電極１０４および１０５とを含んで構成されることである。
【０１０６】
このように構成されるインクヘッド２は、発熱体であるヒータ１０３に印加される電圧に応じて、吐出口３１からインク組成物６０の液滴を吐出させることのできるサーマルインクジェット方式のインクヘッドである。
【０１０７】
インクヘッド２において、インク室４０からインク組成物６０を吐出させる際の動作について説明する。図６は、インク室４０からインク組成物６０の液滴６１が吐出する状態を示す図である。図６では、図５に示すインクヘッド２の切断面線Ｉ−Ｉにおける断面構成を示す。
【０１０８】
ヒータ１０３に電圧が印加されていないとき、実施の第２形態のインクヘッド１において隔壁部１２に電圧が印加されていないときと同様に、インク室４０はインク組成物６０が充填された状態になっている。
【０１０９】
駆動電極１０４および１０５によってヒータ１０３に電圧が印加されると、ヒータ１０３が発熱し、インク室４０内に充填されているインク組成物６０が加熱されて、気泡６２が発生する。これによって、圧力波が発生し、インク室４０内に充填されているインク組成物６０に大きな圧力がかかり、インク組成物６０の液滴６１が吐出口３１から吐出する。
【０１１０】
ヒータ１０３への電圧の印加を止めると、インク室４０内のインク組成物６０が冷却されて気泡６２が消滅し、消滅した気泡の体積分のインク組成物６０がインク供給路２１を介してインクタンク５０から供給され、インク室４０は、インク組成物６０が充填された初期の状態に戻る。
【０１１１】
本実施の形態によるインクヘッド２では、前述の実施の第２形態のインクヘッド１と同様に、インクタンク５０は実施の第１形態のインク組成物６０を貯留し、このインク組成物６０がインク室４０に供給されて吐出口３１から液滴６１として吐出するので、安定して吐出口３１からインク組成物６０の液滴６１を吐出させることができる。このようなインクヘッドを用いれば、信頼性の高いサーマルインクジェット方式のインクジェット記録装置を実現することができる。
【０１１２】
本実施の形態によるインクヘッドを備えるサーマルインクジェット方式のインクジェット記録装置において、本発明のインク組成物を用いて記録を行うと、ヘッド内のインク供給系への濡れ性が向上し、インクの供給がスムーズに行われるため、信頼性の高いサーマル方式のインクジェット記録装置が実現できる。
【０１１３】
本発明のインクヘッドを備えるインクジェット記録装置および本発明のインク組成物を用いれば、ひげ状の色滲みがなく、画像濃度および鮮明度が高く、高い画質品位を有する記録画像を形成することができる。
【０１１４】
［実施例］
以下に実施例、比較例および試験例を挙げ、本発明を具体的に説明する。なお、以下において「％」とあるのは、特に断らないかぎり「重量％」を意味する。
【０１１５】
実施例１〜６および比較例１〜５
表１に示す割合（％）で各成分を混合し、これに水を加えて全量を１００％とした。この混合物を２５℃で１時間攪拌した後、１．２μｍのメンブランフィルタを用いて加圧濾過し、次いで脱気処理し、本発明のインク組成物および比較例のインク組成物を調製した。
【０１１６】
なお、表１において、商品名で記載されている界面活性剤、定着剤であるアクリル樹脂およびアセチレングリコール化合物（１）は、具体的には次のとおりである。
【０１１７】
［界面活性剤］
非イオン界面活性剤（第２級高級アルコールエトキシレート界面活性剤）：商品名ソフタノールＥＰ９０５０、（株）日本触媒製
非イオン界面活性剤：商品名サーフィノール４６５、エアープロダクツ社製
［定着剤］
アクリル樹脂：商品名ジョンクリル６７、ジョンソンポリマー社製
［アセチレングリコール化合物（１）］
商品名サーフィノール２５０２、ｍ＋ｎ＝５、ｘ＋ｙ＝２、エアープロダクツ社製
【０１１８】
また、実施例１〜６および比較例１〜５で使用される水溶性有機溶剤の蒸気圧（２０℃）は次のとおりである。
【０１１９】
１，２−ヘキサンジオール：１．３３Ｐａ以下
グリセリン：０．１Ｐａ
ジエチレングリコール：７９Ｐａ
イソプロパノール：４．４ＫＰａ（水は２．３ＫＰａである）
また、表１において、顔料分散体の配合量は、固形分量として示した。
【０１２０】
試験例１
実施例１〜６および比較例１〜５で得られたインク組成物について、次の評価試験を行った。結果を表１に示す。
【０１２１】
［高速印刷性］
インクジェットプリンタ（商品名：ＡＪ２０００、シャープ（株）製）のインクヘッドを本発明のインクヘッドに交換できるように改造し、このプリンタを用い、印刷濃度５％とし、１０ＰＰＭ（１０枚／分）で連続的に印刷を行い、印字可能枚数を調べた。印刷枚数が２００枚を超えるものを「○」、１５０〜２００枚であるものを「△」、１５０枚未満のものを「×」と評価した。
【０１２２】
［乾燥性］
印刷終了直後、印刷面に印刷紙と同じ紙を１５秒間押し当て、印刷が転写しないものを「○」、転写するものを「×」と評価した。
【０１２３】
［色滲み性］
ＰＰＣ用紙（商品名：ＳＦ４ＡＭ３、シャープ（株）製）に特定のパターンを印刷して１日間放置後、該パターンのライン幅を測定し、滲みがない場合のライン幅を１００とし、それに対する相対値として評価を行った。１５０未満のものを「○」、１５０〜２５０のものを「△」および２５０を超えるものを「×」と評価した。
【０１２４】
［泡立ち性］
インク組成物を２０秒間振とうして５分間静置した後、泡高さを測定し、１０ｍｍ以下のものを「○」および１０ｍｍを超えるものを「×」と評価した。
【０１２５】
【表１】
2004175934.tif 000007
【０１２６】
表１から、アセチレングリコール化合物（１）を含み、かつ水の電気伝導率が２５０μＳ／ｃｍ以下である水を含む本発明品（実施例１〜６）は、高速印刷性、乾燥性、色滲み性および気泡性を高い水準で満たし、インクジェット用インク組成物として極めて好適であることが判る。
【０１２７】
試験例２
実施例１〜５のインク組成物および比較例１〜３のインク組成物について、表２に示すシアンインク、マゼンタインクおよびイエローインクの３種類を組合わせ、印字率１：１：１で印刷し、スリーカラーブラックを光沢紙上に印刷した。
【０１２８】
一方、実施例６のインク組成物を用い、上記と同様にして、ブラック単色を光沢紙上に印刷した。
【０１２９】
スリーカラーブラックおよびブラック単色の印字を測色計（商品名：Ｘ−Ｒｉｔｅ９３８、マクベス社製）にかけ、ａ＊およびｂ＊を測定した。スリーカラーブラックのａ＊をＡ２、ｂ＊をＢ２、ブラック単色のａ＊をＡ１、ｂ＊をＢ１としたとき、下記式で表される値（Δａ＊ｂ＊）が２０以下のものを「○」および２０より大きいものを「×」と評価した。結果を表２に示す。
Δａ＊ｂ＊＝｛（Ａ１−Ａ２）２＋（Ｂ１−Ｂ２）２｝１／２
【０１３０】
【表２】
2004175934.tif 000008
【０１３１】
表２から、実施例１〜５から選ばれる３種のインク組成物を重ね合わせて得られるＮｏ．１〜４の黒色画像は、比較例１〜３の３種類のインク組成物を重ね合わせて得られる黒色画像に比べ、高い画像濃度を有する黒色画像であることが判る。すなわち、実施例のインクセットであるＮｏ．１〜４は、比較例のインクセットであるＮｏ．５に比べ、黒色再現性が良好であり、カラーバランスに優れることが判る。
【０１３２】
以上のように、Ｃ．Ｉ．ピグメントブルー１５：３、１５：４および１５：６からなる群から選ばれる少なくとも１つの顔料を含有するシアンのインク組成物と、Ｃ．Ｉ．ピグメントレッド１２２、２０９およびＣ．Ｉ．ピグメントヴァイオレット１９からなる群から選ばれる少なくとも１つの顔料を含有するマゼンタのインク組成物と、Ｃ．Ｉ．ピグメントイエロー７４、１３８、１５０および１８０からなる群から選ばれる少なくとも１つの顔料を含有するイエローのインク組成物とを組合せることによって、カラーバランスに優れるインクセットを得られることが判る。
【０１３３】
【発明の効果】
本発明によれば、特定の電気伝導率を有する水媒体および顔料を含むインクに、アルキレングリコール化合物（１）を配合することによって、インクの泡立ちなどを防止するとともに、吐出ノズル内でのインクの乾燥を防止し、吐出安定性に優れたインク組成物を得ることができる。また、アルキレングリコール化合物（１）の配合によって、記録媒体に対して適度な浸透性を有し、かつ記録媒体上で速やかに乾燥する、定着性に優れたインク組成物を得ることができる。
【０１３４】
したがって、本発明のインク組成物を用いると、画像濃度および鮮明度が高く、ひげ状の色滲みなどが発生しない、高画質品位の記録画像を、連続して安定的に記録することができる。さらに高速印刷を行っても、記録画像の画質品位が低下することがない。
【０１３５】
本発明によれば、本発明インク組成物の電気伝導率を特定の範囲とすることによって、吐出安定性、記録媒体に対する浸透性および乾燥性、記録画像の画質品位などをさらに高めることができる。
【０１３６】
本発明によれば、特定の電気伝導率を有する水、顔料およびアルキレングリコール化合物（１）を含むインク組成物に、さらに特定量の水溶性有機溶剤を配合することによって、本発明のインク組成物の吐出ノズル内での泡立ちおよび乾燥をさらに防止でき、さらに安定した印刷を実施することができる。また、水溶性有機溶剤の配合によって、記録媒体に対する浸透性を容易に調整することができる。
【０１３７】
本発明によれば、水溶性有機溶剤としてグリコールエーテル類および／または多価アルコール類、好ましくは前記グリコールエーテル類および多価アルコール類の中でも蒸気圧６．６６６５Ｐａ（２０℃）以下の水溶性有機溶剤を用いることによって、インク組成物の吐出安定性を一層向上させることができる。
【０１３８】
本発明によれば、水よりも大きい蒸気圧を有する水溶性有機溶剤を配合することによって、本発明のインク組成物の吐出ノズル内での乾燥を一層防止することができる。
【０１３９】
本発明によれば、アセチレングリコール化合物（１）を特定濃度以上含有することによって、インク組成物の、疎水性面に対する濡れ性を向上させることができる。すなわち、プリンタ部材、特にインクタンク、インクヘッド、吐出ノズルなどに対する濡れ性が良好になり、インク組成物の供給が円滑に行われる。
【０１４０】
本発明によれば、特定のシアン顔料を含むシアン系インク組成物、特定のマゼンタ顔料を含むマゼンタ系インク組成物、特定のイエロー顔料を含むイエロー系インク組成物、特定のブラック顔料を含むブラック系インク組成物、および前記シアン系インク組成物とマゼンタ系インク組成物とイエロー系インク組成物とからなるインクセットが得られる。特に前記インクセットを用いれば、発色性に優れ、カラーバランスが極めて良好な記録画像を記録することができる。
【０１４１】
本発明によれば、顔料として、表面にカルボキシ基またはスルホン酸基を導入した自己分散型顔料を用いることによって、吐出安定性、記録媒体に対する浸透性および乾燥性が一層向上したインク組成物を得ることができる。
【０１４２】
本発明によれば、本発明インク組成物を記録媒体上に付着させて、記録媒体に画像を記録する方法が提供される。
【０１４３】
本発明によれば、本発明のインク組成物に加圧して液滴とし、この液滴を記録媒体上に付着させて、記録媒体に画像を記録する方法が提供される。
【０１４４】
本発明によれば、本発明の記録方法において、インク組成物として、本発明のインク組成物からなるインクセットを用いることによって、さらに高い画質品位を有する記録画像を記録することができる。
【０１４５】
本発明によれば、本発明の記録方法によって、画像濃度および鮮明度が高く、ひげ状の色滲みなどがない、高画質品位の記録画像を形成することができる。
【０１４６】
本発明によれば、ピエゾ式またはバブル式のインクジェット記録用インクヘッドに、本発明のインク組成物を組合わせて用いることによって、連続してかつ安定的な吐出をおこなうことができ、この吐出性能は高速印刷を行っても、劣化することがない。
【０１４７】
本発明によれば、本発明のインクヘッドから本発明のインク組成物の液滴を吐出し、この液滴を記録媒体上に付着させることによって得られる記録画像は、画像濃度および鮮明度が高く、ひげ状の色滲みなどがなく、極めて良好な画質品位を有している。
【図面の簡単な説明】
【図１】本発明のインクヘッドの構成を簡略化して示す分解斜視図である。
【図２】図１に示すインクヘッドを構成するヘッドプレートの構成の一部を拡大して示す図である。
【図３】図１に示すインクヘッドをインク室の延長方向から見た断面図である。
【図４】本発明のインクヘッドの構成を簡略化して示す分解斜視図である。
【図５】図４に示すインクヘッドの構成の一部を示す平面図である。
【図６】インク室からインク組成物の液滴が吐出する様子を示す図であり、図５に示すインクヘッドの切断面線Ｉ−Ｉにおける断面構成を示す。
【符号の説明】
１，２  インクヘッド
１０，１００  ヘッドプレート
１１  底壁部
１１ａ  一方の端部
１１ｂ  他方の端部
１２，１２ａ，１２ｂ  隔壁部
１３，１３ａ，１３ｂ，１３ｃ，１０４，１０５  駆動電極
２０  天板
２１  インク供給路
３０  ノズルプレート
３１  吐出口
４０，４０ａ，４０ｂ，４０ｃ  インク室
５０  インクタンク
５１  開口部
６０  インク組成物
６１  液滴
６２  気泡
７０，７１，７２  矢符
１０１  基板
１０２  隔壁
１０３  ヒータ
【図１】
2004175934.tif 000011
【図２】
2004175934.tif 000012
【図３】
2004175934.tif 000013
【図４】
2004175934.tif 000014
【図５】
2004175934.tif 000015
【図６】
2004175934.tif 000016